(57)【特許請求の範囲】
【請求項１】
建造物に設けた出入口から内部に虫が進入するのを防止する出入口用虫進入防止システムであって、前記出入口の両側に位置する壁面の一方又は両方の壁面における前記出入口の近傍に、前記壁面から外方に突出することにより前記壁面の上下方向に沿って配した縦長の第一面部，及びこの第一面部の突出方向の先端側に設け、かつ前記出入口側とは反対側へ突出することにより前記壁面の上下方向に沿って配した縦長の第二面部とを有し、一部又は全部を透光性素材により形成した遮断パネル部を付設してなることを特徴とする出入口用虫進入防止システム。
【請求項２】
前記建造物は、前記壁面を透光性壁面により構成した店舗であることを特徴とする請求項１記載の出入口用虫進入防止システム。
【請求項３】
前記遮断パネル部は、内面に殺虫剤又は粘着剤を付着させてなることを特徴とする請求項１又は２記載の出入口用虫進入防止システム。
【請求項４】
前記遮断パネル部は、広告パネル又は装飾パネルを兼用することを特徴とする請求項１，２又は３記載の出入口用虫進入防止システム。
【請求項５】
前記遮断パネル部は、一又は二以上の回動機構部により折畳み可能又は一又は二以上の巻取機構部により格納可能に構成することを特徴とする請求項１〜４のいずれかに記載の出入口用虫進入防止システム。
【発明の詳細な説明】
【技術分野】
【０００１】
本発明は、建造物に設けた出入口から内部に虫が進入するのを防止する出入口用虫進入防止システムに関する。
【背景技術】
【０００２】
一般に、コンビニエンスストアは、店舗内が見えるように出入口を設けた正面側の壁面を透明なガラス壁面として構成する場合が多いとともに、２４時間営業を行っているため、夜間はガラス壁面の外が暗く、店舗内が明るい状態になる。したがって、夜間には、店内から漏れた光により、蚊や蛾等の虫が、ガラス壁面に誘引されるとともに、出入口に設けたドアの開閉時には、虫が店舗内に進入しやすい。一方、コンビニエンスストアは、通常、食料品等の生活に密着する商品を販売することから、店舗内への虫の進入は、衛生管理上、無視できない重要な問題となる。このため、店舗内への虫の進入を防止するための方法（手段）も提案されている。
【０００３】
従来、このような虫の進入を防止する方法としては、特許文献１で開示される虫進入防止方法が知られている。同文献１に開示される虫進入防止方法は、出入口外部に群がる虫の建物内への進入を防止することを目的としたものであり、具体的には、出入口への人の接近動作を検出し、出入口外側上部に設けられた虫進入防止装置を作動させ、その送風口を下方に向けて噴射させると共に送風口を上方に向けてエアを噴射させながら水平面近くまで回動させ、出入口の扉に設けられた扉開閉センサの閉止信号又はエアカーテン作動開始時点からの経過時間を測定して、設定時間後に終了信号を送るタイマー操作によって送風口を下方に向けて回動させ下方位置に復帰させて停止させるようにしたものである。
【先行技術文献】
【特許文献】
【０００４】
【特許文献１】特開２００４−６１０７９号公報
【発明の概要】
【発明が解決しようとする課題】
【０００５】
しかし、上述した特許文献１で開示される従来の虫進入防止方法は、次のような問題点があった。
【０００６】
第一に、出入口への人の接近を検出して上から出入口にエアを噴射させるため、お店の場合には、来店者にエアを吹き付けてしまう虞れがあるとともに、虫の進入を防止することを目的とするため、虫がエアにより飛ばされ、来店者に当たってしまう虞れもある。したがって、コンビニエンスストア等の夜間営業のお店にとっては、来店者に少なからず不快な思いをさせることになり、必ずしも望ましい方法（手段）ではない。
【０００７】
第二に、設備が大掛かりになりやすいため、設置のためのイニシャルコストの増加を招くとともに、基本的に電力消費を伴う設備となるため、ランニングコストの発生を招き、コスト上昇及び省エネルギ性の低下を招く。また、費用対効果の観点からも十分な効果を得れるとは言いがたく、特に、出入口の隅部や上下の隅部など、エアが均等に届かない領域が生じるため、虫の進入を確実に防止する観点からは不十分となる。
【０００８】
本発明は、このような背景技術に存在する課題を解決した出入口用虫進入防止システムの提供を目的とするものである。
【課題を解決するための手段】
【０００９】
本発明は、上述した課題を解決するため、建造物Ｍに設けた出入口Ｍｄから内部に虫Ｗが進入するのを防止する出入口用虫進入防止システム１を構成するに際して、出入口Ｍｄの両側に位置する壁面Ｍｗｐ，Ｍｗｑの一方又は両方の壁面Ｍｗｐ，Ｍｗｑにおける出入口Ｍｄの近傍に、壁面Ｍｗｐ，Ｍｗｑから外方に突出することにより壁面Ｍｗｐ，Ｍｗｑの上下方向に沿って配した縦長の第一面部２…，及びこの第一面部２…の突出方向の先端側に設け、かつ出入口Ｍｄ側とは反対側へ突出することにより壁面Ｍｗｐ，Ｍｗｑの上下方向に沿って配した縦長の第二面部３…とを有し、一部又は全部を透光性素材により形成した遮断パネル部Ｕ…を付設してなることを特徴とする。
【００１０】
この場合、発明の好適な態様により、建造物Ｍとしては、壁面Ｍｗｐ，Ｍｗｑを透光性壁面により構成した店舗Ｍｓを適用することが望ましい。一方、遮断パネル部Ｕ…は、内面Ｕｉ…に殺虫剤Ｓｋ…又は粘着剤Ｓｃ…を付着させることができるとともに、広告パネルＰｄ…又は装飾パネルＰｓ…に兼用させることもできる。また、遮断パネル部Ｕ…は、一又は二以上の回動機構部Ｑｃ…により折畳み可能，又は一又は二以上の巻取機構部Ｑｒ…により格納可能に構成することもできる。
【発明の効果】
【００１１】
このような構成を有する本発明に係る出入口用虫進入防止システム１によれば、次のような顕著な効果を奏する。
【００１２】
（１）  出入口Ｍｄの両側に位置する壁面Ｍｗｐ，Ｍｗｑの一方又は両方の壁面Ｍｗｐ，Ｍｗｑにおける出入口Ｍｄの近傍に、一部又は全部を透光性素材により形成した遮断パネル部Ｕ…を付設するのみで足りるため、例えば、お店の場合であっても来店者に不快な思いをさせるなど、来店者に悪影響を与える不具合は全く生じない。また、設備の簡易化を図れるため、イニシャルコストを低減できるとともに、基本的には電力消費を伴わないため、ランニングコストも発生せず、省エネルギ性に優れる。
【００１３】
（２）  好適な態様により、建造物Ｍとして、壁面Ｍｗｐ，Ｍｗｑを透光性壁面により構成した店舗Ｍｓを適用すれば、店舗Ｍｓの構造と相俟って、より確実に虫Ｗの進入を防止することができる。即ち、虫Ｗは明るい方に寄ってくるため、壁面Ｍｗｐ，Ｍｗｑ（透光性壁面）に寄ってきた後、壁面Ｍｗｐ，Ｍｗｑ上を移動する。したがって、出入口Ｍｄの近傍にいる虫Ｗは出入口Ｍｄのドアが開閉した場合でも、出入口Ｍｄからの進入は、遮断パネル部Ｕ…により確実に阻止される。
【００１４】
（３）  好適な態様により、遮断パネル部Ｕ…の内面Ｕｉ…に、殺虫剤Ｓｋ…又は粘着剤Ｓｃ…を付着させれば、殺虫剤Ｓｋ…又は粘着剤Ｓｃ…を、虫Ｗに対してのみ付着作用を効果的に発揮させることができるとともに、来店者等の人に無用に触れられる不具合を回避することができる。
【００１５】
（４）  好適な態様により、遮断パネル部Ｕ…を、広告パネルＰｄ…又は装飾パネルＰｓ…に兼用させれば、虫進入防止機能に加えて、広告機能又は装飾機能を発揮させることができるため、虫進入防止システム１の多機能性及び多様性を高めることができる。特に、最も来店者等の人の目につきやすい出入口Ｍｄの近傍に位置させることができるため、効果的な広告機能又は装飾機能を発揮させることができる。
【００１６】
（５）  好適な態様により、遮断パネル部Ｕ…を、一又は二以上の回動機構部Ｑｃ…により折畳み可能、又は一又は二以上の巻取機構部Ｑｒ…により格納可能に構成すれば、昼間或いは冬期間等の必要としないときは、折畳み又は格納することができ、邪魔になる不具合を回避できるとともに、他方、必要とするときは、速やかに使用状態にセットすることができるなど、より利便性を高めることができる。
【図面の簡単な説明】
【００１７】
【図１】本発明の好適実施形態に係る出入口用虫進入防止システムを店舗の出入口に設置した状態を示す斜視図、
【図２】同出入口用虫進入防止システムに備える遮断パネル部の平面図、
【図３】同出入口用虫進入防止システムに備える遮断パネル部の一部を省略した斜視図、
【図４】同出入口用虫進入防止システムの作用説明図、
【図５】本発明の第一変更実施形態に係る出入口用虫進入防止システムに備える遮断パネル部の断面図を含む正面図であって、（ａ）は第一例、（ｂ）は第二例をそれぞれ示す。
【図６】本発明の第二変更実施形態に係る出入口用虫進入防止システムに備える遮断パネル部の平面図であって、（ａ）は第一例、（ｂ）は第二例をそれぞれ示す。
【図７】本発明の第三変更実施形態に係る出入口用虫進入防止システムに備える格納機能を有する遮断パネル部の平面図、
【図８】本発明の第四変更実施形態に係る出入口用虫進入防止システムに備える折畳機能を有する遮断パネル部の平面図、
【発明を実施するための形態】
【００１８】
次に、本発明に係る好適実施形態を挙げ、図面に基づき詳細に説明する。
【００１９】
まず、本実施形態に係る出入口用虫進入防止システム１の構成について、図１〜図３を参照して説明する。
【００２０】
虫進入防止システム１は、図１に示すように、建造物Ｍ、具体的には、店舗Ｍｓ（例示はコンビニエンスストア）に設けた出入口Ｍｄから店舗Ｍｓの内部に虫が進入するのを防止する機能を備えており、基本的には、出入口Ｍｄの両側に位置する壁面Ｍｗｐ，Ｍｗｑであって当該出入口Ｍｄの近傍部位に、左右一対の遮断パネル部Ｕ，Ｕを設置して構成する。
【００２１】
この場合、店舗Ｍｓ、特に、例示するようなコンビニエンスストアは、店舗Ｍｓ内が見えるように、出入口Ｍｄがある正面側の壁面Ｍｗｐ，Ｍｗｑを透光性壁面となる透明なガラス壁面として構成する場合が多いため、夜間、店舗Ｍｓ内から漏れる光により、壁面Ｍｗｐ，Ｍｗｑに虫が誘引されやすい構造を有している。したがって、本実施形態に係る虫進入防止システム１は、このようなコンビニエンスストアや２４時間営業のスーパーマーケット等の店舗Ｍｓの出入口Ｍｄに付設して最適なシステムとなる。
【００２２】
一方、虫進入防止システム１において、左右に配する遮断パネル部Ｕ，Ｕは、左右対称となる点を除いて、基本的には同一構成とすることができる。壁面Ｍｗｐに付設する遮断パネル部Ｕは、図２（図３）に示すように、壁面Ｍｗｐから外方へ直角に突出することにより壁面Ｍｗｐの上下方向に沿って配した縦長の短冊状に形成した第一面部２及びこの第一面部２の突出方向の先端に設け、かつ出入口Ｍｄ側とは反対側へ突出することにより壁面Ｍｗｐの上下方向に沿って配した縦長の短冊状に形成した第二面部３とを有する。なお、例示の第二面部３は、第一面部２に対して先端側がやや外方に位置するように配しているが、基本的には平面視をＬ形状に配する。
【００２３】
第一面部２及び第二面部３はそれぞれ透光性素材、例えば、透明のアクリル樹脂製のパネル材（アクリル板）を切断して形成することができる。そして、第一面部２と第二面部３は、図２に示すＬ形状に形成した複数の連結具１１…を用いて結合することができる。この場合、上端部位同士及び下端部位同士を結合することにより連結具１１…の存在を目立たなくすることができる。なお、第一面部２と第二面部３の形成素材としては、透光性素材が望ましいが、必ずしも透光性素材に限定されるものではなく、半透光性素材又は非透光性素材を使用し、例えば、外面Ｕｏにカラフルな模様（文字）を付したり内面Ｕｉに白等の明るい色を付してもよい。この際、内面Ｕｉの色は艶消し等により非反射面とすることが望ましい。ただし、この場合であっても、第二面部３に虫が誘引されるのを回避するため、暗い状態を維持する第二面部３は透光性素材を使用する必要があるとともに、着色する場合は、反射しない黒色により着色する。これにより、第一面部２と第二面部３の内側に進入した虫が、第二面部３の内面側に誘引され、第二面部３の先端辺から外側に回り込む不具合を回避できる。また、このような内外面Ｕｏ，Ｕｉの模様（文字）や着色は全面に設けてもよいし、一部にのみに設けてもよい。
【００２４】
さらに、虫進入防止システム１は、前述したように、店舗Ｍｓ（コンビニエンスストア）に付設して使用するため、予め組立を行った遮断パネル部Ｕ…を設置場所に運んで設置してもよいし、部品（部材）となる第一面部２…及び第二面部３…を設置場所に運び、現場で遮断パネル部Ｕ…を組立ててもよい。このように、本実施形態に係る虫進入防止システム１の場合、基本的構成要素としては、一対の遮断パネル部Ｕ，Ｕを用意すれば足りる。したがって、設備の簡易化を図れるため、イニシャルコストを低減できるとともに、基本的には電力消費を伴わないため、ランニングコストも発生せず、省エネルギ性に優れる利点がある。
【００２５】
次に、本実施形態に係る虫進入防止システム１の設置方法（使用方法）及び作用（機能）について、図１〜図４を参照して説明する。
【００２６】
まず、虫進入防止システム１を設置する際の手順について説明する。設置するに際しては、二つの遮断パネル部Ｕ，Ｕを用意する。この場合、二つの遮断パネル部Ｕ，Ｕは同一のもので足り、一方の遮断パネル部Ｕを他方の遮断パネル部Ｕに対して上下反転させるのみで左右対称形に設置できる。図１は、虫進入防止システム１を設置する店舗Ｍｓ（コンビニエンスストア）の正面を示している。店舗Ｍｓの正面には左右一対の開閉式のドア２１ｐ，２１ｑを設けた出入口Ｍｄを有するとともに、この出入口Ｍｄに対して左側には壁面Ｍｗｐを有し，右側には壁面Ｍｗｑを有する。各壁面Ｍｗｐ，Ｍｗｑは透光性壁面、即ち、ガラス壁面として構成する。
【００２７】
そして、一方の遮断パネル部Ｕは、左側の壁面Ｍｗｐにおける出入口Ｍｄの近傍に設置するとともに、他方の遮断パネル部Ｕは、右側の壁面Ｍｗｑにおける出入口Ｍｄの近傍に設置する。なお、遮断パネル部Ｕ，Ｕの上下方向寸法は、壁面Ｍｗｐ…の上下方向寸法にほぼ一致させることが望ましい。このため、予め壁面Ｍｗｐ…の上下方向寸法を測定し、測定した寸法に基づいて遮断パネル部Ｕ…を製作してもよいし、或いはやや長めの遮断パネル部Ｕ…を製作し、現場において、壁面Ｍｗｐ…の上下方向寸法に適合するようにカット加工してもよい。
【００２８】
一方、遮断パネル部Ｕ（他方も同じ）を設置するに際しては、図２に示すようなＬ形状に形成した複数（例示は二つ）の設置具１２…を用意し、遮断パネル部Ｕの下端を床面５１に固定するとともに、上端を軒下面（不図示）に固定する。この場合、例えば、遮断パネル部Ｕの下端は、図２に示すように、離間した二つの部位を設置具１２…によりそれぞれ床面５１に固定する。また、遮断パネル部Ｕの上端も下端側と同様に軒下面に固定することができる。これにより、遮断パネル部Ｕの第一面部２は壁面Ｍｗｐ（又はＭｗｑ）から外方にほぼ直角に突出するとともに、第二面部３は第一面部２の突出方向の先端から出入口Ｍｄ側とは反対側に突出する。
【００２９】
次に、虫進入防止システム１の作用（機能）について説明する。図４は、夜間における店舗Ｍｓ（コンビニエンスストア）の正面付近を平面から見た図を示している。この場合、店舗Ｍｓの正面における壁面Ｍｗｐ，Ｍｗｑから外方は暗く、また、店舗Ｍｓ内は明るい状態にあるため、前述したように、外から見た壁面Ｍｗｐ，Ｍｗｑは明るい。したがって、蚊や蛾等の虫Ｗ…は、点線矢印Ｆａで示すように、壁面Ｍｗｐ，Ｍｗｑに寄ってくる。一方、壁面Ｍｗｐ，Ｍｗｑに集まった虫Ｗ…は、壁面Ｍｗｐ，Ｍｗｑに邪魔されるため、壁面Ｍｗｐ，Ｍｗｑ上を移動する。この際、図４に、点線矢印Ｆｂで示すように、出入口Ｍｄ側に移動した虫Ｗは、遮断パネル部Ｕの内面Ｕｉ側に進入する。即ち、遮断パネル部Ｕは、壁面Ｍｗｐと共に、いわば虫Ｗ…を囲むポケットとして機能し、出入口Ｍｄ側への虫Ｗの移動は確実に阻止される。特に、この場合、第二面部３を、暗闇として見える透明又は艶消し黒色等の非反射面とすることにより、虫Ｗ…は第二面部３側に近づくことがないとともに、近づいても壁面Ｍｗｐ，Ｍｗｑ又は第一面部２に戻ることになり、第二面部３の先端辺から外側への回り込みは阻止される。
【００３０】
このように、本実施形態に係る虫進入防止システム１によれば、出入口Ｍｄの両側に位置する壁面Ｍｗｐ，Ｍｗｑの一方又は両方の壁面Ｍｗｐ，Ｍｗｑにおける出入口Ｍｄの近傍に、一部又は全部を透光性素材により形成した遮断パネル部Ｕ…を付設するのみで足りるため、例えば、お店の場合であっても来店者に不快な思いをさせるなど、来店者に悪影響を与える不具合は全く生じない。特に、建造物Ｍとして、壁面Ｍｗｐ，Ｍｗｑを透光性壁面により構成した店舗Ｍｓに適用したため、店舗Ｍｓの構造と相俟って、より確実に虫Ｗの進入を防止することができる。即ち、虫Ｗは明るい方に寄ってくるため、壁面Ｍｗｐ，Ｍｗｑ（透光性壁面）に寄ってきた後、壁面Ｍｗｐ，Ｍｗｑ上を移動する。したがって、出入口Ｍｄの近傍にいる虫Ｗは出入口Ｍｄのドアが開閉した場合でも、出入口Ｍｄからの進入は、遮断パネル部Ｕ…により確実に阻止される。
【００３１】
次に、本発明の変更実施形態に係る虫進入防止システム１について、図５〜図８を参照して説明する。
【００３２】
図５は、第一変更実施形態に係る虫進入防止システム１に備える遮断パネル部Ｕを示す。図５（ａ）は第一例であり、遮断パネル部Ｕを、広告パネルＰｄに兼用させたものである。この場合、広告内容を表示した一枚の広告パネル（広告シート）３１を用意し、透明に構成した遮断パネル部Ｕの内面Ｕｉに貼付ければよい。例示は第一面部２に設けた場合を示しているが、第二面部３に設けてもよいし、第一面部２と第二面部３の双方を利用して設けてもよい。図５（ｂ）は第二例であり、遮断パネル部Ｕを、装飾パネルＰｓに兼用させたものである。この場合、例えば、複数のイルミネーションランプＬ…をシリーズに接続したイルミネーションユニット３２を用意し、透明に構成した遮断パネル部Ｕの内面Ｕｉに配設すればよい。このように、遮断パネル部Ｕを、広告パネルＰｄ又は装飾パネルＰｓに兼用させれば、虫進入防止機能に加えて、広告機能又は装飾機能を発揮させることができるため、虫進入防止システム１の多機能性及び多様性を高めることができる。特に、最も来店者等の人の目につきやすい出入口Ｍｄの近傍に位置させることができるため、効果的な広告機能又は装飾機能を発揮させることができる。
【００３３】
図６は、第二変更実施形態に係る虫進入防止システム１に備える遮断パネル部Ｕを示す。図６（ａ）は第一例であり、図２に示した実施形態に対して、第一面部２と第二面部３の結合角度を変更、即ち、第一面部２と第二面部３を直角に結合するとともに、遮断パネル部Ｕの内面Ｕｉに殺虫剤Ｓｋを付着させたものである。例示は、スプレー方式により残効性殺虫剤Ｓｋを噴射させて付着させる例を示している。図６（ｂ）は第二例を示し、図２に示した実施形態に対して、第一面部２と第二面部３の結合角度を変更、即ち、第一面部２の先端に結合した第二面部３の先端側が壁面Ｍｗｑ側に位置するように結合するとともに、遮断パネル部Ｕの内面Ｕｉに粘着剤Ｓｃを付着させたものである。例示は、捕虫用粘着シートを貼付けた例を示している。なお、粘着剤Ｓｃを付着させた場合には、遮断パネル部Ｕを不透明にすることが望ましい。このように、遮断パネル部Ｕ…の内面Ｕｉ…に、殺虫剤Ｓｋ…又は粘着剤Ｓｃ…を付着させれば、殺虫剤Ｓｋ…又は粘着剤Ｓｃ…を、虫Ｗに対してのみ付着作用を効果的に発揮させることができるとともに、来店者等の人に無用に触れられる不具合を回避することができる。
【００３４】
図７は、第三変更実施形態に係る虫進入防止システム１を示し、特に、格納機能を備えた遮断パネル部Ｕを示す。図７に示す遮断パネル部Ｕは、第一面部２と第二面部３を、巻取機構部Ｑｃ…を有する巻取式のロールカーテン３５，３６により構成したものである。したがって、この場合、各ロールカーテン３５，３６のカーテン材には、透明な合成樹脂シートを用いることができる。これにより、使用時には、ロールカーテン３５，３６を下方へ引出した状態にするとともに、格納時には、ロールカーテン３５，３６を巻上げた状態にすればよい。
【００３５】
図８は、第四変更実施形態に係る虫進入防止システム１を示し、特に、折畳機能を有する遮断パネル部Ｕを示す。図８に示す遮断パネル部Ｕは、第一面部２を壁面Ｍｗｑに対して一又は二以上の回動機構部Ｑｒ…を介して取付けるとともに、第二面部３を第一面部２に対して一又は二以上の回動機構部Ｑｒ…を介して結合したものである。したがって、遮断パネル部Ｕの使用時には、図８に仮想線で示す符号Ｕｓのように、広げてセットできるとともに、非使用時には、図８に実線で示す符号Ｕｒのように、壁面Ｍｗｑに重なるように折畳むことができる。
【００３６】
このように、遮断パネル部Ｕ…を、一又は二以上の回動機構部Ｑｃ…により折畳み可能、又は一又は二以上の巻取機構部Ｑｒ…により格納可能に構成すれば、昼間或いは冬期間等の必要としないときは、折畳み又は格納することができ、邪魔になる不具合を回避できるとともに、他方、必要とするときは、速やかに使用状態にセットすることができるなど、より利便性を高めることができる。
【００３７】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。例えば、遮断パネル部Ｕ…は、出入口Ｍｄの両側に位置する両方の壁面Ｍｗｐ，Ｍｗｑに付設した場合を示したが、壁面Ｍｗｐ，Ｍｗｑが透明であるか不透明であるかなど、壁面Ｍｗｐ，Ｍｗｑの状況によっては、壁面Ｍｗｐ又はＭｗｑのいずれか一方にのみ設けてもよい。他方、第一面部２…と第二面部３…は、別々に形成したものを結合して構成した場合を示したが、第一面部２…と第二面部３…は一体成形してもよい。また、遮断パネル部Ｕ…の素材は、特に限定されるものではなく、ガラス板等であってもよい。
【産業上の利用可能性】
【００３８】
本発明は、コンビニエンスストアや２４時間営業のスーパーマーケット等の各種店舗や類似の建造物に設けた出入口に付設することができる出入口用虫進入防止システムとして利用できる。
【符号の説明】
【００３９】
１：出入口用虫進入防止システム，２…：第一面部，３…：第二面部，Ｍ：建造物，Ｍｓ：店舗，Ｍｄ：出入口，Ｍｗｐ：壁面，Ｍｗｑ：壁面，Ｗ：虫，Ｕ…：遮断パネル部，Ｕｉ…：遮断パネル部の内面，Ｓｋ…：殺虫剤，Ｓｃ…：粘着剤，Ｐｄ…：広告パネル，Ｐｓ…：装飾パネル，Ｑｃ…：巻取機構部，Ｑｒ…：回動機構部
【要約】
【課題】  来店者等に与える悪影響を排除するとともに、設備の簡易化によりイニシャルコスト及びランニングコストを低減し、かつ省エネルギ性を高める。
【解決手段】  建造物Ｍに設けた出入口Ｍｄから内部に虫Ｗが進入するのを防止する出入口用虫進入防止システム１を構成するに際して、出入口Ｍｄの両側に位置する壁面Ｍｗｐ，Ｍｗｑの一方又は両方の壁面Ｍｗｐ，Ｍｗｑにおける出入口Ｍｄの近傍に、壁面Ｍｗｐ，Ｍｗｑから外方に突出することにより壁面Ｍｗｐ，Ｍｗｑの上下方向に沿って配した縦長の第一面部２…，及びこの第一面部２…の突出方向の先端側に設け、かつ出入口Ｍｄ側とは反対側へ突出することにより壁面Ｍｗｐ，Ｍｗｑの上下方向に沿って配した縦長の第二面部３…とを有し、一部又は全部を透光性素材により形成した遮断パネル部Ｕ…を付設する。
【選択図】  図１【図１】
0005552175.tif 000002
【図２】
0005552175.tif 000003
【図３】
0005552175.tif 000004
【図４】
0005552175.tif 000005
【図５】
0005552175.tif 000006
【図６】
0005552175.tif 000007
【図７】
0005552175.tif 000008
【図８】
0005552175.tif 000009